(57)【要約】【課題】電源スイッチのオン／オフの操作により放電灯の調光率を変化させる放電灯点灯装置において、瞬時停電が生じた場合でも、ユーザの意図に反して調光率が変化することのない簡易な構成の放電灯点灯装置を提供する。【解決手段】放電灯点灯装置は、操作者が電源スイッチをオン／オフさせるオフ第１操作を行なうと、放電灯の調光率をそれまで設定していた値（Ｓｄ＝１１５）から所定の時間間隔で、Ｓｄ＝１１４、Ｓｄ＝１１３のように、順次暫定的に変化させる。そして、オフ第１操作に引き続き、操作者が、オフ第２操作（確定操作）を実行すると、暫定的に順次変化させている調光率のうちオフ第２操作時における調光率（Ｓｄ＝１１２）に確定し、それ以降、確定した調光率（Ｓｄ＝１１２）で放電灯を点灯継続する。【選択図】図６
2008103199.tif 000002
【特許請求の範囲】
【請求項１】
交流電力を供給する交流電源から供給された交流電力を整流して出力する整流回路と、前記整流回路の出力電圧を安定した直流電圧にする平滑回路と、前記平滑回路の直流電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御を実行するマイクロコンピュータであって、前記電力供給一時停止期間検出部により所定の期間内に設定期間内である電力供給一時停止期間が予め設定された１回以上のいずれかの第１の設定回数だけ検出された場合には、第１の設定回数が検出された検出時まで設定していた発振周波数を所定の時間間隔で順次異なる発振周波数に暫定的に設定し、前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうちいずれかの順位の電力供給一時停止期間の検出時に暫定的に設定していた発振周波数を新たな設定値として確定し、新たな設定値として確定した発振周波数で前記インバータ回路を発振させるマイクロコンピュータと
を備えたことを特徴とする放電灯点灯装置。
【請求項２】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御を実行するマイクロコンピュータであって、前記電力供給一時停止期間検出部により所定の期間内に設定期間内である電力供給一時停止期間が予め設定された１回以上のいずれかの第１の設定回数だけ検出された場合には、第１の設定回数が検出された検出時まで設定していた発振周波数を所定の時間間隔で順次異なる発振周波数に暫定的に設定し、前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうちいずれかの順位の電力供給一時停止期間の検出時に暫定的に設定していた発振周波数を新たな設定値として確定し、新たな設定値として確定した発振周波数で前記インバータ回路を発振させるマイクロコンピュータと
を備えたことを特徴とする放電灯点灯装置。
【請求項３】
前記マイクロコンピュータは、
前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうち最初の順位の電力供給一時停止期間の検出時に暫定的に設定していた発振周波数を新たな設定値として確定し、新たな設定値として確定した発振周波数で前記インバータ回路を発振させることを特徴とする請求項２記載の放電灯点灯装置。
【請求項４】
前記マイクロコンピュータは、
前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうち最後の順位の電力供給一時停止期間の検出時に暫定的に設定していた発振周波数を新たな設定値として確定し、新たな設定値として確定した発振周波数で前記インバータ回路を発振させることを特徴とする請求項２記載の放電灯点灯装置。
【請求項５】
交流電力を供給する交流電源から供給された交流電力を整流して出力する整流回路と、前記整流回路の出力電圧を安定した直流電圧にする平滑回路と、前記平滑回路の直流電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
前記放電灯の定格出力に対する比率を示す複数の調光率のそれぞれに対応する調光指令値のそれぞれから定まる発振周波数のうち予め設定された調光指令値から定まる発振周波数で前記インバータ回路を発振させる制御を実行するマイクロコンピュータであって、前記電力供給一時停止期間検出部により所定の期間内に設定期間内である電力供給一時停止期間が予め設定された１回以上のいずれかの第１の設定回数だけ検出された場合には、第１の設定回数が検出された検出時まで設定していた調光指令値を所定の時間間隔で順次異なる調光指令値に暫定的に設定し、前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうちいずれかの順位の電力供給一時停止期間の検出時に暫定的に設定していた調光指令値を新たな設定値として確定し、新たな設定値として確定した調光指令値から定まる発振周波数で前記インバータ回路を発振させるマイクロコンピュータと
を備えたことを特徴とする放電灯点灯装置。
【請求項６】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
前記放電灯の定格出力に対する比率を示す複数の調光率のそれぞれに対応する調光指令値のそれぞれから定まる発振周波数のうち予め設定された調光指令値から定まる発振周波数で前記インバータ回路を発振させる制御を実行するマイクロコンピュータであって、前記電力供給一時停止期間検出部により所定の期間内に設定期間内である電力供給一時停止期間が予め設定された１回以上のいずれかの第１の設定回数だけ検出された場合には、第１の設定回数が検出された検出時まで設定していた調光指令値を所定の時間間隔で順次異なる調光指令値に暫定的に設定し、前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうちいずれかの順位の電力供給一時停止期間の検出時に暫定的に設定していた調光指令値を新たな設定値として確定し、新たな設定値として確定した調光指令値から定まる発振周波数で前記インバータ回路を発振させるマイクロコンピュータと
を備えたことを特徴とする放電灯点灯装置。
【請求項７】
前記マイクロコンピュータは、
前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうち最初の順位の電力供給一時停止期間の検出時に暫定的に設定していた調光指令値を新たな設定値として確定し、新たな設定値として確定した調光指令値から定まる発振周波数で前記インバータ回路を発振させることを特徴とする請求項６記載の放電灯点灯装置。
【請求項８】
前記マイクロコンピュータは、
前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうち最後の順位の電力供給一時停止期間の検出時に暫定的に設定していた調光指令値を新たな設定値として確定し、新たな設定値として確定した調光指令値から定まる発振周波数で前記インバータ回路を発振させることを特徴とする請求項６記載の放電灯点灯装置。
【請求項９】
前記インバータ回路は、
前記交流電源による交流電力の供給がある場合には高周波電圧の出力を継続し、前記交流電源による交流電力の供給が無い場合には高周波電圧の出力を停止し、
前記電力供給一時停止期間検出部は、
前記インバータ回路の高周波電圧の出力に基づいて、電力供給一時停止期間が予め設定された設定期間内かどうかを検出することを特徴とする請求項６記載の放電灯点灯装置。
【請求項１０】
前記放電灯点灯装置は、さらに、
前記放電灯が抜去されているかどうかを検出する抜去検出部を備え、
前記マイクロコンピュータは、
前記抜去検出部が前記放電灯の抜去を検出した場合には、抜去の検出時において設定している調光指令値を継続して維持することを特徴とする請求項６または９のいずれかに記載の放電灯点灯装置。
【請求項１１】
前記放電灯点灯装置は、さらに、
前記放電灯が異常状態にあるかどうかを検出する異常状態検出部を備え、
前記マイクロコンピュータは、
前記異常状態検出部が前記放電灯の異常状態を検出した場合には、異常状態の検出時において設定している調光指令値を継続して維持することを特徴とする請求項６または９のいずれかに記載の放電灯点灯装置。
【請求項１２】
前記電力供給一時停止期間検出部は、
前記交流電源が交流電力の供給状態と供給停止状態とのいずれの状態にあるかを検出する供給状態検出部と、
前記交流電源が交流電力の供給状態のときに交流電力により充電するとともに、交流電力の供給停止状態が設定期間を超えて継続すると、充電した電圧が予め設定された値以下となる電圧保持部と
を備えたことを特徴とする請求項６記載の放電灯点灯装置。
【請求項１３】
前記電力供給一時停止期間検出部は、
前記交流電源が交流電力の供給状態と供給停止状態とのいずれの状態にあるかを検出する供給状態検出部と、
前記インバータ回路の出力に接続されることにより前記インバータ回路の出力する高周波電圧により充電するとともに、前記インバータ回路の出力停止状態が設定期間を超えて継続すると、充電した電圧が予め設定された値以下となる電圧保持部と
を備えたことを特徴とする請求項９記載の放電灯点灯装置。
【請求項１４】
前記放電灯点灯装置は、さらに、
前記マイクロコンピュータが前記電力供給一時停止期間検出部による第２の設定回数の検出に基づき、暫定的に設定していた調光指令値を新たな調光指令値として確定した場合に、確定したことを表示する表示部を備えたことを特徴とする請求項６または９のいずれかに記載の放電灯点灯装置。
【請求項１５】
前記マイクロコンピュータは、
前記電力供給一時停止期間検出部による第２の設定回数の検出に基づき、暫定的に設定していた調光指令値を新たな調光指令値として確定した場合に、前記インバータ回路の発振周波数を制御することにより前記放電灯の明るさを増減することを特徴とする請求項６または９のいずれかに記載の放電灯点灯装置。
【請求項１６】
前記放電灯点灯装置は、さらに、
前記マイクロコンピュータが前記電力供給一時停止期間検出部による第１の設定回数の検出を契機として所定の時間間隔で順次異なる調光指令値を暫定的に設定する場合に、前記マイクロコンピュータが暫定的に調光指令値を設定するごとに、設定される調光指令値に対応する対応表示を表示する表示部を備えたことを特徴とする請求項６または９のいずれかに記載の放電灯点灯装置。
【請求項１７】
前記マイクロコンピュータは、
前記電力供給一時停止期間検出部による第１の設定回数の検出を契機として所定の時間間隔で順次異なる調光指令値を暫定的に設定する場合に、調光指令値を設定するごとに、前記インバータ回路の発振周波数を制御することにより前記放電灯の明るさを増減することを特徴とする請求項６また９のいずれかに記載の放電灯点灯装置。
【請求項１８】
前記マイクロコンピュータは、
前記電力供給一時停止期間検出部による第１の設定回数の検出を契機として所定の時間間隔で順次異なる調光指令値を暫定的に設定した場合に、前記電力供給一時停止期間検出部により所定の期間内に設定期間内である電力供給一時停止期間が第２の設定回数だけ検出されない場合には、予め設定された所定の調光指令値を新たな調光指令値として設定することを特徴とする請求項６または９のいずれかに記載の放電灯点灯装置。
【請求項１９】
前記マイクロコンピュータは、
前記電力供給一時停止期間検出部により第１の設定回数が検出された検出時に設定していた調光指令値を新たな調光指令値として設定することを特徴とする請求項１８記載の放電灯点灯装置。
【請求項２０】
請求項１〜１９のいずれかに記載の放電灯点灯装置を備えた照明器具。
【請求項２１】
請求項１〜１９のいずれかに記載の放電灯点灯装置を有する照明器具と、
前記照明器具の有する前記放電灯点灯装置に交流電源からの交流電力の供給をオン、オフする電源スイッチと
を備えたことを特徴とする照明システム。
【請求項２２】
前記照明システムは、
前記照明器具を複数備えるとともに、
前記複数の照明器具のそれぞれが有する前記放電灯点灯装置は、
いずれも、前記電源スイッチにより前記交流電源からの交流電力の供給がオン、オフされることを特徴とする請求項２１記載の照明システム。
【請求項２３】
前記電源スイッチは、
壁スイッチであることを特徴とする請求項２１または２２のいずれかに記載の照明システム。
【請求項２４】
前記電源スイッチは、
直列に接続された第１スイッチと第２スイッチとから構成されることを特徴とする請求項２１または２２のいずれかに記載の照明システム。
【請求項２５】
記第１スイッチと前記第２スイッチとは、
互い近傍に配置されるとともに、
前記第１スイッチと前記第２スイッチとのうちいずれか一方は、カバーで覆われていることを特徴とする請求項２４記載の照明システム。
【発明の詳細な説明】
【技術分野】
【０００１】
この発明は、放電灯の調光制御に関するものである。特に、調光用の特別なインターフェース回路なしで、放電灯の調光段階をステップ状に多段階に調光可能な点灯装置に関するものである。
【背景技術】
【０００２】
従来より、放電灯に電源を供給する電源スイッチのオン期間に、一時的な短時間のオフ期間が生ずるように電源スイッチを操作して、照明灯の状態を切り換えることは知られている。このような従施例として、特開昭５１−１２７５８３号公報（特許文献１）がある。この特許文献１では、照明灯の状態の切り換えとして、例えば、蛍光管２本点灯状態、１本点灯状態、または、豆球点灯状態などを切り換えて調光状態の段階を得ることが示されている。
【０００３】
また、特開平３−２６９９９６号公報（特許文献２）の請求項４では、電源スイッチの一定時間を越える一時的な遮断で照明灯を切り換え、更に、照明灯が蛍光灯の場合には通常点灯と調光状態とに分けて点灯できることが示されている。
【０００４】
さらに、特開平１−７２４９７号公報（特許文献３）では、ＰＷＭ（Ｐｕｌｓｅ  Ｗｉｄｔｈ  Ｍｏｄｕｌａｔｉｏｎ）調光信号を外部から送出する調光信号線を、照明装置のランプへの電力を供給する動力線と別に配線して、ランプをＰＷＭ信号のデューティ比に応じて調光点灯することが示されている。
【特許文献１】特開昭５１−１２７５８３号公報
【特許文献２】特開平３−２６９９９６号公報
【特許文献３】特開平１−７２４９７号公報
【発明の開示】
【発明が解決しようとする課題】
【０００５】
しかし、特許文献１の実施例の場合には、調光段階に対応した数の光源が必要であるという課題があり、また、照明状態の切り換え回路が複雑で高価になるという課題があった。さらに、電源スイッチの一時的なオフ期間に相当する期間の瞬時停電が１回だけあった場合にも照明装置の設置者の意図に反して照明状態が切り換わってしまうという課題があった。
【０００６】
また、特許文献２の実施例の場合も、電源スイッチの一時的なオフ期間に相当する期間の瞬時停電が１回だけあった場合でも照明装置の設置者の意図に反して照明状態が切り換わってしまうという課題があった。さらに、放電灯の照明状態である調光率を多段階で切り換えるためには、電源スイッチの一時的なオフ回数を調光率を切り替え段数に対応して多数回行う必要があるため、実用的には切り替え段数を数段階以下に制限せざるを得ないという課題があった。
【０００７】
また、特許文献３の場合は、照明状態の変化は、いわゆる連続的に多段階で行うことは可能であるが、照明状態を変化させて調光を行うには、調光信号を送出するための外部に設置された調光信号送出装置、電力線とは別に設置された専用の調光信号伝送線及び調光インターフェース回路などが必要であり、照明装置が複雑で高価になるという課題があった。特に、特許文献３の照明装置と異なる既設の照明装置を特許文献３の照明装置で代替更新する場合は、新たな調光信号伝送線の敷設工事が必要なため、調光信号伝送線の部材費用の他に高価な工事費が必要であるという課題があった。
【０００８】
この発明は、電源スイッチの一時的なオフ期間に相当する期間の瞬時停電がある場合であっても、設置者の意図に反して照明状態が切り換わることのない安価、小型の放電灯点灯装置を提供することを目的とする。
【０００９】
また、この発明は、外部に設置した調光信号送出装置や専用の調光信号伝送線が無くても、放電灯の調光状態を多段階で設定できる放電灯点灯装置を提供することを目的とする。
【課題を解決するための手段】
【００１０】
この発明の放電灯点灯装置は、
交流電力を供給する交流電源から供給された交流電力を整流して出力する整流回路と、前記整流回路の出力電圧を安定した直流電圧にする平滑回路と、前記平滑回路の直流電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御を実行するマイクロコンピュータであって、
前記電力供給一時停止期間検出部により所定の期間内に設定期間内である電力供給一時停止期間が予め設定された１回以上のいずれかの第１の設定回数だけ検出された場合には、第１の設定回数が検出された検出時まで設定していた発振周波数を所定の時間間隔で順次異なる発振周波数に暫定的に設定し、前記電力供給一時停止期間検出部による第１の設定回数の検出後の所定の期間内に、引き続き、前記電力供給一時停止期間検出部により設定期間内である電力供給一時停止期間が予め設定された１回以上のいずれかの第２の設定回数だけ検出された場合には、検出された第２の設定回数のうちいずれかの順位の電力供給一時停止期間の検出時に暫定的に設定していた発振周波数を新たな設定値として確定し、新たな設定値として確定した発振周波数で前記インバータ回路を発振させるマイクロコンピュータと
を備えたことを特徴とする。
【発明の効果】
【００１１】
この発明により、電源スイッチの一時的なオフ期間に相当する期間の瞬時停電がある場合であっても、設置者の意図に反して照明状態が切り換わることのない安価、小型の放電灯点灯装置を提供することができる。
【００１２】
また、この発明により、外部に設置した調光信号送出装置や専用の調光信号伝送線が無くても、放電灯の調光状態を多段で容易に設定できる放電灯点灯装置を提供することができる効果がある。
【００１３】
また、電源スイッチの一時的なオフ回数を調光率を切り替え段数に対応して多数回行う必要が無く多段階の調光率の中から簡単な操作で希望の調光率で放電灯を点灯させることができる放電灯点灯装置を提供することができる効果がある。
【発明を実施するための最良の形態】
【００１４】
実施の形態１．
図１〜図９を用いて実施の形態１を説明する。説明を始める前に、図１を用いて、以下の実施の形態で使用する次の（１）〜（４）の用語を定義する。
（１）「オン／オフ／オン操作」とは、図１に示すように、電源スイッチがオンである場合において、１秒程度の所定の短時間以内（後述のＴｏｆｆ以内）に、電源スイッチをオフにした後に再びオンにする操作をいう。
（２）「電力供給一時停止期間ｔ」とは、「オン／オフ／オン操作」により電力の供給が一時的に停止される期間をいう。
（３）「オフ第１操作」とは、操作者が、放電灯の調光率を変更するため、「オン／オフ／オン操作」を決められた回数行なう操作をいう。図１は、決められた回数が２回の場合を示している。
（４）「オフ第２操作」とは、「オフ第１操作」の後（このとき電源スイッチはオンである）、操作者が、調光率を確定をするため、「オン／オフ／オン操作」を決められた回数行なう操作をいう。図１は、決められた回数が３回の場合を示している。
【００１５】
実施の形態１は、オフ第１操作を行なうと、放電灯の調光率をそれまで設定していた値から所定の時間間隔で順次暫定的に変化させ、オフ第１操作に引き続き、オフ第２操作（確定操作）を実行すると、暫定的に順次変化させている調光率のうちオフ第２操作時における調光率に確定し、それ以降、確定した調光率で放電灯を点灯継続する放電灯点灯装置に関する。このような機能により、放電灯点灯装置は、瞬時停電が生じた場合でも、ユーザ及び設置者の意図に反して調光率が変化することがなくなる効果がある。また、放電灯点灯装置は、外部の調光信号送出装置の設置や電力線以外の他の調光信号線の敷設などを要することなく、放電灯の調光状態を多段階の調光率の中から簡単に希望の調光率に設定できる効果がある。
【００１６】
図２は、実施の形態１の放電灯点灯装置１００の構成を示す回路図である。図２に示すように、放電灯点灯装置１００は、交流電源１から電源スイッチ２０を介して交流電源を与えられる。放電灯点灯装置１００は、ダイオードブリッジ２（整流回路）、昇圧チョッパ回路２００（昇圧回路）、昇圧チョッパ制御回路２１０、インバータ回路３００、インバータ制御回路３１０、放電灯状態検出回路３２０（抜去検出部、異常状態検出部）、放電灯負荷回路３３０、電力供給一時停止期間検出部４００、表示部４１０を備える。なお、図２では、放電灯点灯装置１００は、電源スイッチ２０を含まない構成になっているが、放電灯点灯装置１００内に電源スイッチ２０を含む構成でも構わない。後述する図１０の放電灯点灯装置１０１（実施の形態２）についても同様である。
【００１７】
インバータ制御回路３１０は、制御出力回路３１１、マイクロコンピュータ３１２（以下、マイコン３１２という）、不揮発性メモリ３１３を備える。
【００１８】
図３は、不揮発性メモリ３１３が記憶する主なフラグ、データを示す図である。これらのフラグ、データについては、後述する動作の説明で述べる。
【００１９】
電力供給一時停止期間検出部４００は、電源オン・オフ状態検出回路３４０（供給状態検出部）、電源オフ期間検出回路３６０（電圧保持部）を備える。
【００２０】
図２において、放電灯点灯装置１００は、交流電源１から電源スイッチ２０を介して交流電源を与えられる。
（１）放電灯点灯装置１００では、交流電源１からの交流電力が電源スイッチ２０を介して供給され、ダイオードブリッジ２で整流される。ダイオードブリッジ２の出力は、脈流成分を含む直流電源である。この脈流成分を含む直流電源が昇圧チョッパ回路２００に供給される。
（２）昇圧チョッパ回路２００は、昇圧チョッパ制御回路２１０で制御される。昇圧チョッパ回路２００はチョークコイル３、スイッチング素子５、ダイオード４、コンデンサ６から構成され、入力された脈流を含む直流電源を昇圧・平滑し、インバータ回路３００に安定化された一定電圧を供給する。
（３）インバータ回路３００は、インバータ制御回路３１０で制御される。インバータ回路３００は、スイッチング素子７及びスイッチング素子８により、昇圧チョッパ回路２００で昇圧された直流電圧を高周波電圧に変換する。また、抵抗１３が、スイッチング素子７に並列に接続される。
なお、スイッチング素子７及び８のドレイン・ソース間に逆並列に接続されているダイオードは、図示を省略する。
（４）放電灯負荷回路３３０は、カップリングコンデンサ９、チョークコイル１０、放電灯１１の直列回路及びカップリングコンデンサ９に並列に接続された抵抗１４、及び、放電灯１１に並列に接続されたコンデンサ１２から構成される。
（５）インバータ制御回路３１０のマイコン３１２には、放電灯状態検出回路３２０、電源オン・オフ状態検出回路３４０、電源オフ期間検出回路３６０の出力信号が接続される。
（６）放電灯状態検出回路３２０は、放電灯１１の放電灯負荷回路３３０への装着または抜去状態
の検出及び放電灯１１の正常または不良状態を検出する。放電灯１１の装着状態はコンデンサ６を電源として抵抗１３、抵抗１４、放電灯１１の両フィラメントを介して電流が流れることを検出する。また、放電灯１１の不良状態は放電灯１１の両端電圧の上昇、フィラメントの電圧等で検出する。
【００２１】
（７）電力供給一時停止期間検出部４００は、交流電源１による交流電力の供給が供給状態から供給停止状態になり再び供給状態となった場合の供給停止期間である電力供給一時停止期間ｔが、予め設定された設定期間Ｔｏｆｆ内かどうかを検出する。後述のように、電源オン・オフ状態検出回路３４０が交流電源１のオン／オフを検出する。電源オフ期間検出回路３６０は、交流電源１のオフ状態において、予め設定された期間Ｔｏｆｆの間は一定以上の電圧（Ｈｉｇｈ  レベル）を保持する。交流電源１がオフの間、電源オフ期間検出回路３６０の保持電圧が「Ｈｉｇｈレベル」であるかどうかにより、交流電源１のオフ期間が予め設定された期間Ｔｏｆｆの設定値内かどうかが検出される。電源オン・オフ状態検出回路３４０は、電源スイッチ２０の後段に接続し、交流電源１の供給の有無を検出する回路である。電源オン・オフ状態検出回路３４０は、電源スイッチ２０による交流電源１の遮断の他に、交流電源１の瞬時停電による供給断も検出する。交流電源１の供給断が検出された場合、インバータ制御回路３１０（マイコン３１２）は、放電灯１１が蛍光灯放電灯などのように始動時にフィラメントの予熱が必要な放電灯に対しては、適切な予熱モード状態を経て点灯モードに移行するように制御する。電源オフ期間検出回路３６０は、電源スイッチ２０の後段に接続し、交流電源１の遮断後も一定の期間その電圧を保持する電圧保持回路である。マイコン３１２は、電源オン・オフ状態検出回路３４０が電源スイッチ２０のオフ検出後、電源オフ期間検出回路３６０の出力端子ｂの電圧が所定値を上回るうちに、電源オン・オフ状態検出回路３４０が電源スイッチ２０のオンを検出した場合は、交流電源１の「所定の短時間Ｔｏｆｆ以内」の電源遮断と識別する。一方マイコン３１２は、電源オン・オフ状態検出回路３４０が電源スイッチ２０のオフ検出後、電源オフ期間検出回路３６０の出力端子ｂの電圧が所定値を下回ることを検出した場合は、交流電源１の「所定の短時間Ｔｏｆｆを超える」電源遮断と識別する。
【００２２】
（電源オフ期間検出回路３６０の具体的構成）
次に図４を用いて電源オフ期間検出回路３６０の具体的な構成を説明する。図４は、電源オフ期間検出回路３６０の具体的構成を示す図である。図５は、図４に示した電源オフ期間検出回路３６０の回路特性を示す図である。
【００２３】
図４に示す電源オフ期間検出回路３６０は、アノード側が入力端子ａに接続されカソード側が抵抗３６２に接続されたダイオード３６１と、一端がダイオード３６１のカソード側に接続され他端が出力端子ｂに接続された抵抗３６２と、一端が抵抗３６２の出力端子側に接続され他端がダイオードブリッジ２の負極側に接続された抵抗３６３と、抵抗３６３に並列に接続されたコンデンサ３６４とを備える。
【００２４】
図５（ａ）は、電源スイッチ２０のオンまたはオフ状態と、その動作に対応した電源オフ期間検出回路３６０の入力端子ａに印加される交流電源１の状態を示している。図５（ｂ）は、そのときの出力端子ｂの電圧波形を示している。
【００２５】
図４及び図５において、電源スイッチ２０がオン状態において、人の操作により電源スイッチ２０を所定の短時間（図示の電力供給一時停止期間ｔの期間）オフし、次に、再度電源スイッチ２０をオンした場合の出力端子ｂの電圧を、マイコン３１２が高レベル（Ｈレベル）と認識するように、電源オフ期間検出回路３６０を構成する各部品定数を適当に選定する。即ち、所定の期間Ｔｏｆｆ期間の終了時点の出力端子ｂの電圧を、マイコン３１２がＨレベルと認識する電圧以上の電圧になるようにする。言い換えると、電源オフ期間検出回路３６０は、予め設定された所定の期間Ｔｏｆｆを超えると保持電圧がマイコン３１２が高レベル（Ｈレベル）と認識できる電圧を下回るように、その構成部品の各定数が選定される。マイコン３１２は、電源オン・オフ状態検出回路３４０により電源スイッチ２０がオフであることを認識するとともに、この認識中に電源オフ期間検出回路３６０の保持電圧を「Ｈレベル」と認識している場合は、電源スイッチ２０のオフ期間が所定の期間Ｔｏｆｆ以内と判断する。一方、マイコン３１２は、電源スイッチ２０がオフと認識中に電源オフ期間検出回路３６０の保持電圧を「Ｌレベル」と認識した場合は電源スイッチ２０のオフ期間が所定の期間Ｔｏｆｆを超えたと判断する。
【００２６】
図３の不揮発性メモリ３１３の図で説明する。マイコン３１２は、電源オン・オフ状態検出回路３４０が電源スイッチ２０のオフを検出すると、電源ＯＮ・ＯＦＦフラグ（３１３３）を「Ｌ；０」にセットする。マイコン３１２は、電源オフ期間検出回路３６０の保持電圧の状態が「Ｈレベル」であれば短期間ＯＦＦフラグ（３１３４）を「Ｈ；１」にセットする。マイコン３１２は、電源ＯＮ・ＯＦＦフラグ（３１３３）が「０」の間、「短期間ＯＦＦフラグ（３１３４）」が「Ｈ；１」である場合に、電源スイッチ２０のオフ期間が所定の期間Ｔｏｆｆ以内と判定する。マイコン３１２は、電源オフ期間検出回路３６０の保持電圧の状態は「Ｈレベル」から「Ｌレベル」になると「短期間ＯＦＦフラグ（３１３４）」を「Ｌ；０」に書き換える。
【００２７】
なお、昇圧チョッパ制御回路２１０、インバータ制御回路３１０、放電灯状態検出回路３２０及び電源オン・オフ状態検出回路３４０の制御用駆動電源は図示を省略する。
【００２８】
図２の回路で交流電源１が投入されると、インバータ回路３００は、インバータ制御回路３１０によって制御され、放電灯１１は点灯する。
【００２９】
放電灯１１の定格出力に対する比率である「調光率」は、インバータ制御回路３１０の不揮発性メモリ３１３に記録されている調光率指令値Ｓｄで制御される。図３に示すように、不揮発性メモリ３１３は、調光指令値テーブル３１５０を格納している。調光指令値テーブル３１５０の調光指令値の値は、調光率に対応する。例えばＳｄ＝１２５は、調光率１００％に対応する。マイコン３１２は、調光指令値から定まる発振周波数のうち予め設定された調光指令値から定まる発振周波数でインバータ回路３００を発振させる制御を実行する。マイコン３１２の発振周波数が８ＭＨｚとすれば、マイコン３１２は、例えば、Ｓｄ０を用いて「８ＭＨｚ÷１２５」の周波数でインバータ回路３００を発振させる制御信号を生成する。このように、マイコン３１２は、調光指令値Ｓｄに対応した所定の周波数でインバータ回路３００を発振させるための制御信号を生成し、生成した制御信号を制御出力回路３１１（ドライバ）に出力する。制御出力回路３１１は、マイコン３１２から制御信号を入力し、入力した制御信号によりインバータ回路３００を駆動する。
【００３０】
図３の調光指令値テーブル３１５０では、調光指令値Ｓｄの値は、定格出力の調光率に対応する調光指令値Ｓｄ０（１００％出力相当）と、その他に、少なくても１つ以上の調光指令値Ｓｄ１・・・・・・・・Ｓｄｎ，Ｓｄｎ＋１、・・・Ｓｄｍの値を持つ。それぞれの調光指令値Ｓｄに対応した調光率は、マイコン３１２のプログラムで指定される。前記のＳｄｎ＋１は、マイコン３１２のプログラムでＳｄｎの次に選択される調光指令値を示している。また、Ｓｄｍは指定可能な最後の調光指令値を示している。
【００３１】
図２の回路では、調光率が大きい場合（調光指令値が大きい場合）は、発振周波数を相対的に低く、調光率が小さい場合（調光指令値が小さい場合は）、発振周波数を相対的に高く設定することで、調光率を増減する。
【００３２】
（マイコン３１２と放電灯状態検出回路３２０との関係）
また、放電灯状態検出回路３２０が、放電灯１１の放電灯負荷回路３３０への装着を検出し、かつ、放電灯１１の正常状態の検出がされた場合にのみ、インバータ回路３００は発振が継続的に駆動される。従って、放電灯１１の未装着や寿命末期等の異常状態の場合は、インバータ回路３００の発振は停止される。放電灯状態検出回路３２０は、放電灯１１の抜去状態、あるいは異常状態の場合には検出信号をマイコン３１２に出力する。マイコン３１２は、抜去状態の検出信号を入力すると「フィラメント検出フラグ（３１３１）」を「Ｌ；０」にし、放電灯１１の異常状態の検出信号を入力すると「放電灯不良検出フラグ（３１３２）」を「Ｈ；１」にする。マイコン３１２は、「フィラメント検出フラグ（３１３１）」が「Ｌ；０」である場合、あるいは、「放電灯不良検出フラグ（３１３２）」が「Ｈ；１」である場合は、制御出力回路３１１への制御信号の出力を停止し、インバータ回路３００の発振を停止する。
【００３３】
図６を参照して、本実施の形態１の放電灯点灯装置１００の特徴である調光率の変更、及び確定の概要を説明する。図６は、調光率の確定操作の例を説明する図である。
（１）操作者がオフ第１操作を行なうと、電力供給一時停止期間検出部４００がオフ第１操作（第１の設定回数）を検出し、マイコン３１２に検出信号を出力する。図６では、オフ第１操作は１回目と２回目との２つのオン／オフ／オン操作からなっている。
（２）マイコン３１２は、電力供給一時停止期間検出部４００によりオフ第１操作（第１の設定回数）が検出されると、検出時まで設定していた調光指令値を所定の時間間隔で順次異なる調光指令値に設定する。図６に示すように、マイコン３１２は、電力供給一時停止期間検出部４００によりオフ第１操作（第１の設定回数）、すなわち、引き続き操作された２つのオン／オフ／オン操作が検出されると、検出時まで設定していた調光指令値「Ｓｄ＝１１５」を、順次、指令値「Ｓｄ＝１１４」〜「Ｓｄ＝１１１」というように暫定的に設定する。
（３）操作者がオフ第２操作を行なうと、電力供給一時停止期間検出部４００がオフ第２操作（第２の設定回数）を検出し、マイコン３１２に検出信号を出力する。
（４）マイコン３１２は、電力供給一時停止期間検出部４００によりオフ第２操作が検出されると、検出されたオフ第２操作（第２の設定回数）のうちいずれかの順位の「オン／オフ／オン操作」の検出時に暫定的に設定していた調光指令値を新たな設定値として確定する。ここで「検出されたオフ第２操作のうちいずれかの順位」とは、次の意味である。すなわち図６では、オフ第２操作は、１回目と２回目の「オン／オフ／オン操作」からなっているが、マイコン３１２は、電力供給一時停止期間検出部４００によるオフ第２操作の１回目の検出時には調光指令値「Ｓｄ＝１１２」を設定しており、オフ第２操作の２回目の検出時には調光指令値「Ｓｄ＝１１１」を設定している。「検出されたオフ第２操作のうちいずれかの順位のオン／オフ／オン操作」とは、この「１回目」あるいは「２回目」のオン／オフ／オン操作を意味する。図６の場合、マイコン３１２は、第１順位である「１回目」に対応するＳｄ＝１１２を確定値として設定する。すなわち、図６の場合は、マイコン３１２は、電力供給一時停止期間検出部４００によるオフ第２操作のうち「１回目」である第１順位（最初の順位）のオン／オフ／オン操作の検出時に暫定的に設定していた調光指令値Ｓｄ＝１１２を、新たな設定値として確定するように設定されている。図７は、マイコン３１２が、電力供給一時停止期間検出部４００により検出されたオフ第２操作のうち第２順位（図７の場合は最後の順位でもある）のオン／オフ／オン操作の検出時に暫定的に設定していた調光指令値Ｓｄ＝１１１を、新たな設定値として確定するように設定されている場合を示している。
（５）マイコン３１２は、新たな設定値として確定した調光指令値「Ｓｄ＝１１２」あるいは「Ｓｄ＝１１１」から定まる発振周波数で、インバータ回路３００を発振させる。
【００３４】
次に、図８、図９を参照して、さらに具体的な動作を説明する。図８は、調光率の確定操作を説明する図である。図８の場合、オフ第１操作は２回であり、オフ第２操作は１回としている。図８の場合、マイコン３１２は、電力供給一時停止期間検出部４００によるオフ第２操作の検出時に暫定的に設定している調光指令値を、新たな設定値として確定するように設定されている。図９は、調光率の確定動作を説明するフローチャートである。
【００３５】
以下の説明で、例えば＜Ｓ１００＞は、図９のフローチャートのステップＳ１００の説明であることを示す。
【００３６】
＜Ｓ１００：オフ第１操作の１回目のオン／オフ／オン操作＞
上記のような構成で、図８に示すように、操作者は、オフ第１操作の１回目のオン／オフ／オン操作を行なう。即ち、電源スイッチ２０がオンの状態で、操作者は、オフ第１操作の１回目として電源スイッチ２０をオフしてから所定期間内（Ｔｏｆｆ期間内）に再度電源スイッチ２０をオンする操作を行う。
【００３７】
＜Ｓ１０１〜Ｓ１０２＞
もし、オフ期間ｔがＴｏｆｆ以内（Ｓ１０１でＹＥＳ）ならば、マイコン３１２は、オフ第１操作カウンタＮ１（３１４０）の値に「１」を加算する。つまり、マイコン３１２は、オフ第１操作カウンタＮ１（３１４０）の値を０から１にする。
よって、
Ｎ１＝１
になる。
そして、マイコン３１２は、カウンタ有効期間フラグＦｅ（３１３５）を、「Ｌ；０」から「Ｈ；１」にセットする。すなわち、
Ｆｅ＝１
になる。
さらに、マイコン３１２は、カウンタ有効期間タイマＴｃ（３１４１）の有効期間を、予め定めるデータである所定値（本設例では５秒）にセットする。すなわち、
Ｔｃ＝５
になる。
なお、カウンタ有効期間フラグＦｅ（３１３５）は、カウンタ有効期間タイマＴｃ（３１４１）が所定値（５秒）以内の場合は「Ｈ；１」を維持し、それ（５秒）を超える場合は「Ｌ；０」であるように設定される。また、もしオフ期間ｔがＴｏｆｆを超える場合は、次の処理Ｓ１６０へ進む。
【００３８】
＜Ｓ１０３：オフ第１操作の２回目のオン／オフ／オン操作＞
そして、操作者は、２回目のオン／オフ／オン操作を行なう。即ち、操作者は、電源スイッチ２０がオンの状態で、再度、電源スイッチ２０をオフしてからその所定期間内（Ｔｏｆｆ期間内）に電源スイッチ２０をオンする操作をおこなう。
【００３９】
＜Ｓ１０４＞
もし、オフ期間ｔがＴｏｆｆ以内（Ｓ１０４でＹＥＳ）ならば、ステップＳ１１０に進み、オフ期間ｔがＴｏｆｆを超える場合（Ｓ１０４でＮＯ）には、処理はステップＳ１６０に進む。
【００４０】
＜Ｓ１１０〜Ｓ１１３＞
マイコン３１２は、カウンタ有効期間フラグＦｅ（３１３５）が「Ｈ；１」かどうか判定する。つまり、カウンタ有効期間Ｔｃ（３１４１）が、設定期間内（５秒内）かどうか判定する。そして、マイコン３１２は、Ｆｅ＝１（Ｓ１１０でＹＥＳ）ならば、オフ第１操作カウンタＮ１（３１４０）の値に１を加算して１から２にするとともに、カウンタ有効期間Ｔｃ（３１４１）を所定値に設定する。
本設例では、
Ｎ１＝２、
Ｔｃ＝５
になる。
そして、マイコン３１２は、オフ操作第１操作カウンタＮ１（３１４０）が、予め定めた所定値（本設例では２回）かどうか判定する。マイコン３１２は、オフ第１操作カウンタＮ１（３１４０）が所定値（本設例ではＮ１＝２）ならばステップＳ１１３の処理に進み、所定値未満ならばステップＳ１６０の処理に進む。ステップＳ１１３では、マイコン３１２は、オフ第１操作カウンタＮ１（３１４０）の値を０に設定するとともに、カウンタ有効期間フラグＦｅ（３１３５）を「Ｌ；０」に設定し、カウンタ有効期間Ｔｃ（３１４１）を０に設定する。
即ち、ステップＳ１１３において、
Ｎ１＝０、
Ｆｅ＝０、
Ｔｃ＝０
となる。
【００４１】
以上、説明したＳ１００〜Ｓ１１３までのステップが、電源スイッチ２０のオフ第１操作である。このオフ第１操作は、放電灯１１を多段階で順次調光するための許可を与えるためのステップである。即ち、ステップＳ１２０へ進めば調光を許可され、ステップＳ１６０へ進めば調光は許可されない。
【００４２】
＜Ｓ１２０＞
ステップＳ１２０は、電源スイッチ２０のオフ期間ｔがＴｏｆｆ以内であるオフ回数（オフ第１操作）が、所定の回数（図８の例では２回）連続して操作された場合に、マイコン３１２により実行されるステップである。
【００４３】
さらに、Ｓ１２０は以下の詳細実行手順を含んでいる。
（１）不揮発性メモリ３１３の調光指令値テーブル３１５０において、現行の調光指令値Ｓｄｎ（例えば、Ｓｄｎ＝１１５、調光率８０％）を、次の調光指令値Ｓｄｎ＋１（例えば、Ｓｄｎ＋１＝１１４、調光率７８％）に暫定的に変更する。これに伴って、インバータ制御回路３１０の制御出力回路３１１の駆動周波数も、調光指令値Ｓｄｎに対応する駆動周波数から調光指令値「Ｓｄｎ＋１＝１１４」に対応する駆動周波数に暫定的に変化し、放電灯１１の調光率を８０％から７８％にする。
（２）暫定的に選択された調光指令値「Ｓｄｎ＋１＝１１４」は、予め定められた暫定点灯期間Ｔｔｐ（３１４２）（本設例では２秒）を過ぎると、自動的に次の暫定的な調光指令値Ｓｄｎ＋２（Ｓｄｎ＋２＝１１３、調光率７６％）へ移行する。つまりマイコン３１２により新たに次の暫定的な調光指令値「Ｓｄｎ＋２＝１１３」が選択され、調光率も調光指令値の変化に対応して暫定的に変化する。
（３）さらに、暫定的な調光指令値「Ｓｄｎ＋２＝１１３」は、暫定点灯期間Ｔｔｐ（３１４２）の２秒が過ぎると、マイコン３１２により、自動的に次の暫定的な調光指令値「Ｓｄｎ＋３＝１１２」が設定され、調光率も調光指令値の変化に対応して暫定的に変化する。
（４）このように、「暫定点灯期間Ｔｔｐ（３１４２）」（２秒）が経過する毎に、調光指令値Ｓｄを順次自動的に変化させるマイコン３１２による制御は、後述する「オフ第２操作（確定操作）」が実行されるか、または、調光指令値を順次変化させるステップが所定の順次変化回数Ｎｓ（３１４３）の所定値（例えば、２０回）に達するまで実行継続される。つまり「オフ第２操作（確定操作）」が実行されるか、あるいは、Ｎｓ×Ｔｔｐの間、マイコン３１２により、順次実行される。この例では、Ｎｓ＝２０（回）、Ｔｔｐ＝２（秒）であるので、マイコン３１２により、４０秒間、順次実行される。この４０秒間のうちに確定操作がされると暫定的な調光指令値は確定される。
【００４４】
＜Ｓ１２１〜Ｓ１２４＞
ステップＳ１２１において、マイコン３１２は、順次変化回数Ｎｓ（３１４３）が所定値（例えば、２０回）以内かどうか判定する。もし、所定値未満（Ｓ１２１でＮＯ）ならステップＳ１２２に、所定値（Ｓ１２１でＹＥＳ）ならステップＳ１５０に進む。ステップＳ１２２において、電源スイッチ２０がオン状態で、操作者は、「オフ第２操作」として電源スイッチ２０をオフしてからその所定期間内（Ｔｏｆｆ期間内）に再度、電源スイッチ２０をオンする操作を行う。もし、オフ期間ｔがＴｏｆｆ以内（Ｓ１２３でＹＥＳ）なら、ステップＳ１２４に進み、最新の暫定調光指令値（例えば、Ｓｄｎ＋４＝１１１、調光率７２％）を、以降、継続実行する調光指令値として確定する。即ち、操作者による電源スイッチ２０のＴｏｆｆ期間内のオフの実行による「オフ第２操作」で、暫定点灯期間Ｔｔｐ（３１４２）（２秒）の時間間隔で順次暫定的に変化する調光指令値は、最新の調光指令値に確定される。以降、次の電源スイッチ２０の再度のオフ第１操作及びこれに続くオフ第２操作が実行されるまで、放電灯１１は、この調光指令値に対応した調光率で制御点灯される。なお、順次指定される調光指令値Ｓｄは指定可能な最大値Ｓｄｍに達すると、定格出力であるＳｄ０（Ｓｄ０＝１２５、調光率１００％）に戻る。即ち、調光率が順次小さくなるように降順指定され、指定可能な最小調光率の次は、定格出力（調光率１００％）に戻るように循環指定される。
【００４５】
＜Ｓ１５０＞
順次変化回数Ｎｓ（３１４３）が所定値（例えば、２０回）に達するまでに、電源スイッチ２０による確定操作である「オフ第２操作」がされない場合は、調光指令値Ｓｄは、電源スイッチ２０のオフ第１操作の開始時点の調光指令値Ｓｄｎに戻る。図８の場合、調光指令値は、「Ｓｄｎ＝１１５」に戻る。そして、マイコン３１２は、暫定点灯期間Ｔｔｐ（３１４２）を０（ゼロ）に戻すとともに順次変化回数Ｎｓ（３１４３）を０（ゼロ）に戻し、次のステップＳ１６０へ進む。
よって、
Ｔｔｐ＝０、
Ｎｓ＝０
となる。
即ち、電源スイッチ２０によるオフ第１操作に引き続き、所定の順次変化回数Ｎｓ（３１４３）内で、再度、電源スイッチ２０による「オフ第２操作」が行われない場合は、調光率はオフ第１操作の開始時点の調光率に戻る。
【００４６】
以上のように、本実施の形態１によれば、電源スイッチ２０がオン状態において、所定の短期間Ｔｏｆｆ内のオフ回数が所定のカウンタ有効期間Ｔｃ（３１４１）内に所定の回数Ｎ１回実行するオフ第１操作によって、マイコン３１２が実行する制御により、放電灯１１の調光指令値Ｓｄは、オフ第１操作の開始時の調光率Ｓｄｎから所定の暫定点灯期間Ｔｔｐ（３１４２）の時間間隔で、順次、変化する。
【００４７】
例えば、図８に示すように、電源スイッチ２０がオン状態において、１秒以内のオフ期間を、１回のオフ操作について５秒以内の有効期間内に連続して２回実行するオフ第１操作があると、マイコン３１２が実行する制御によって、放電灯１１の調光率は、オフ第１操作の開始時の調光率８０％（Ｓｄｎ＝１１５）から、７８％の調光率（Ｓｄｎ＋１＝１１４）に暫定的に変化する。その後、２秒の暫定点灯期間の後、放電灯１１の調光率は自動的に７６％（Ｓｄｎ＋２＝１１３）に暫定的に変化する。同様にして、２秒の暫定点灯期間の後、調光率は自動的に７４％（Ｓｄｎ＋３＝１１２）に暫定的に変化する。このような、調光率の暫定的な変化は、電源スイッチ２０による確定操作である「オフ第２操作」が実行されるか、または、暫定的な変化回数が所定の回数である２０回に達するまで、マイコン３１２によって継続される。そして、操作者が、電源スイッチ２０がオン状態で再度１秒以内のオフ（図８の場合のオフ第２操作）を実行すると、マイコン３１２の制御により、調光率は、最新の暫定調光率である７２％（Ｓｄｎ＋４＝１１１）に確定し、以降、この調光率で放電灯１１は点灯継続する。また、暫定的な変化回数が所定の回数である２０回に達した場合、及び、電源スイッチ２０のオフ第２操作で、１秒を超えるオフ期間があるように操作した場合は、マイコン３１２の制御により、調光率はオフ第１操作の開始時の調光率である８０％（Ｓｄｎ＝１１５）に戻る。
【００４８】
（確定操作の回数）
また、上記で説明した図９のフローチャートでは、電源スイッチ２０のオフ第１操作を行い、調光指令値をＳｄｎ、Ｓｄｎ＋１、Ｓｄｎ＋２、・・・・と順次変化させているステップＳ１２０の期間中に、電源スイッチ２０の所定の期間Ｔｏｆｆ内の電源オフが「１回」あった場合に、調光指令値を最新の暫定調光指令値に確定する場合について説明した。しかし、これは一例である。これを電源スイッチ２０のオフ第１操作と同様に、予め定めた２回以上の回数が実行された場合に調光指令値を確定するようにしても良いのは、図６、図７で述べたとおりである。これは、マイコン３１２の不揮発性メモリ３１３のオフ第１操作カウンタＮ１（３１４０）と同様の機能をもつオフ第２操作カウンタＮ２（３１４４）の記録エリアを設定することで可能である。（図３では、オフ第２操作カウンタＮ２（３１４４）＝１回として、上記説明に対応しているが、これを２回とすればよい。）このように、調光率確定のための電源スイッチ２０のオフ第２操作が２回以上の回数が実行された場合に調光指令値を確定するように設定することで、落雷などの原因で交流電源１が瞬時停電した場合でも、放電灯点灯装置の設置・使用者の意図に反して調光率が変化してしまう誤動作の確率をさらに小さくできる効果がある。なお、図８、図９の説明では、調光率の確定操作によって最新の暫定調光率をそれ以降点灯継続する調光率として確定すると説明してきた。すなわち、マイコン３１２は、電力供給一時停止期間検出部４００によるオフ第２操作の検出時に暫定的に設定している調光指令値を、新たな設定値として確定するとして説明してきたが、調光率確定のためのオフ第２操作が２回以上の複数回に設定した場合には、その間に、暫定調光率も変化する場合が考えられる。つまり、図６、あるいは、図７のような場合である。調光率確定のためのオフ第２操作において、１回目の電源スイッチ２０のオン／オフ／オン操作時と２回目のオン／オフ／オン操作時とでは、プログラムの設定によっては、暫定調光率が異なる値になる場合が考えられる。即ち、図６に示すように、オフ第２操作の第１回目のオフの場合、調光指令値は「Ｓｄ＝１１２」であり、オフ第２操作の第２回目のオフの場合、調光指令値が「Ｓｄ＝１１１」であるような場合である。このような場合でも、図６の説明でも述べたように、最新の暫定調光率をオフ第２操作の第１回目とするか、最終回目とするかを予め定めることで問題は無い。つまり、本実施の形態１の調光率確定時の最新の暫定調光率とは、オフ第２操作で予め定めたオフ回数時の暫定調光率をいう。勿論、オフ第２操作が開始を検出した場合に、マイコン３１２が、暫定調光率の変化を停止するようにしても良い。
【００４９】
以上のように、実施の形態１の放電灯点灯装置１００は、電源スイッチ２０によるオフ第１操作を行えば、放電灯１１の調光率を、例えば、２０回まで連続的に降順で循環指定でき、操作者が最適と判断した調光率に達した時点で、再度、電源スイッチ２０による第２操作で最適の調効率に確定し、以降、この調光率で点灯継続できる。即ち、電源スイッチ２０の少ないオフ操作で多段階の調光率の中から操作者が最適と判断する調光率を選択・決定できる効果がある。
【００５０】
さらに、実施の形態１の放電灯点灯装置１００は、電源スイッチ２０のオフ第１操作に加えてオフ第２操作を実行することで調光率の変化を確定するようにしている。このため、落雷などの原因で交流電源１が瞬時停電する場合があったとしても、瞬時停電による交流電源１の断続状態が本実施の形態１の調光率を変化・確定するために必要な交流電源１の断続状態と一致する確率は、実用的には無視できるほど小さいと考えられる。つまり、落雷などの原因で交流電源１が瞬時停電した場合でも、放電灯点灯装置の設置・使用者の意図に反して放電灯１１の調光率が変化する誤動作を防止できる効果がある。
【００５１】
また、実施の形態１の放電灯点灯装置１００は、マイコン３１２によりインバータ回路を調光制御するので、調光制御のための特別なインターフェース無しに、電源スイッチ２０の短時間内のオフ動作により、多段階の調光ステップが可能な放電灯点灯装置を提供できる効果がある。即ち、従来の固定出力式放電灯点灯装置を、本実施の形態１の放電灯点灯装置に置換すれば、特別の調光システムコントローラの追加や調光インターフェースのための特別の配線の追加の必要がない安価で小型な調光システムが実現できる効果がある。
【００５２】
なお、放電灯負荷回路３３０は図示の回路構成のものに限らず、調光制御が可能な他の構成のものでも良いことは明らかである。
【００５３】
（調光指令値変化の降順、昇順）
また、上記の説明では、調光指令値をＳｄｎからＳｄｎ＋１に暫定的に変化させる場合に、調光率を順次減じて指定可能な最後の調光指令値Ｓｄｍの次に定格出力である調光指令値Ｓｄ０（１００％調光）に戻る、いわゆる調光率を降順で指定する場合について説明した。これを、調光指令値をＳｄｎからＳｄｎ＋１に暫定的に変化させる場合に、調光率を順次増して定格出力の調光指令値であるＳｄ０に達した場合は、次の調光指令値としてＳｄｍに進む、いわゆる、調光率を昇順で指定するようにしても良いことは明らかである。また、電源スイッチ２０で電源の短時間オフを所定の回数Ｎ１回行う「電源スイッチ２０のオフ第１操作」において、例えば、所定の回数Ｎ１が偶数なら降順、奇数なら昇順とすれば、操作者の希望する調光率で点灯させるまでに最小の順次変化回数で選択・実行できる効果がある。具体的には、図９のフローチャートのステップＳ１１２において、例えば、オフ第１操作カウンタＮ１（３１４０）が２回なら降順、３回なら昇順としてステップＳ１１３以降処理を行うことで可能である。
【００５４】
（確定操作のない場合）
また、上記説明では、調光率を調光指令値Ｓｄｎ、Ｓｄｎ＋１、Ｓｄｎ＋２、・・・・・と順次暫定的に変化させている場合において、順次変化回数Ｎｓ（３１４３）の有効回数Ｎｓ内（例えば、２０回）に、電源スイッチ２０のオフ第２操作が所定の回数行われない場合は、調光率をオフ第１操作の開始時の調光率Ｓｄｎに戻す場合について説明したが、これは一例である。調光率が確定されない場合には、予め指定された所定の調光指令値の調光率に戻すようにしても良いことは明らかである。即ち、マイコン３１２は、電力供給一時停止期間検出部４００によるオフ第１操作（第１の設定回数）の検出を契機として所定の時間間隔で順次異なる調光指令値を暫定的に設定した場合に、電力供給一時停止期間検出部４００により所定の期間内に設定期間内である電力供給一時停止期間が第２の設定回数だけ検出されない場合には、予め設定された所定の調光指令値を新たな調光指令値として設定する。
【００５５】
(不揮発性メモリ３１３の設定値）
また、図３に示したマイコン３１２の不揮発性メモリ３１３に記録されるデータ類の設定値（所定の値）は一例である。これらの設定値を別の値にしても良いことは明らかである。
【００５６】
また、電源オフ期間検出回路３６０は、交流電源１の遮断後も一定期間その出力電圧を保持するように構成し、各フラグ類、電源オフ操作回数、調光指令値等のデータ類は、必要なタイミングで不揮発性メモリ３１３に記録するようにしているので、交流電源１の遮断期間中に継続してインバータ制御回路３１０の制御電源を供給保持する必要はなく、制御電源を小型容量化でき、放電灯点灯装置としても安価・小型化できる効果がある。なお、交流電源１のオフ時にもインバータ制御回路３１０のマイコン３１２の制御電源を保持するようにすれば、マイコン３１２で電源オン・オフ状態検出回路３４０の信号を基に交流電源のオフ期間を算出できることは明らかであり、この場合は電源オフ期間検出回路３６０は不要である。
【００５７】
（表示部）
（１）また、マイコン３１２が調光率を確定した場合に、確定した旨の表示をする表示部４１０（図２）を備えることにすれば、操作者は操作の実行を確認できる効果がある。即ち、表示部４１０は、マイコン３１２が電力供給一時停止期間検出部４００によるオフ第２操作（第２第２の設定回数）の検出に基づき、暫定的に設定していた調光指令値を新たな調光指令値として確定した場合に、確定したことを表示する。
（２）なお、調光率の変化を確定した旨の表示を、放電灯１１の調光率を変化させて明滅または明暗させた後に設定した調光率で点灯するように制御すれば、付加する表示装置が不要になり放電灯点灯装置を安価・小型化できる効果がある。即ち、マイコン３１２は、電力供給一時停止期間検出部４００によるオフ第２操作（第２の設定回数）の検出に基づき、暫定的に設定していた調光指令値を新たな調光指令値として確定した場合に、インバータ回路３００の発振周波数を制御することにより放電灯１１の明るさを増減する。
（３）上記の（１）、（２）では、オフ第２操作により調光率が確定された場合の表示あるいは明滅を説明したが、調光率の確定操作をした場合以外に、操作者がオフ第１操作を行なった場合に、順次暫定的に切り替わる調光率を表示してもよい。例えば、暫定調光率が９０％、８０％、７０％、・・・・・などのように調光率が切り替わるごとに現在の調光率を表示部４１０に「９０％」などのように表示する。即ち、表示部４１０は、マイコン３１２が電力供給一時停止期間検出部４００によるオフ第１操作（第１の設定回数）の検出を契機として所定の時間間隔で順次異なる調光指令値を暫定的に設定する場合に、マイコン３１２が暫定的に調光指令値を設定するごとに、設定される調光指令値に対応する対応表示を表示する。対応表示は上記のように「％」表示でもよいし、他の表示でもよい。この暫定調光率に設定されるごとに調光指令値の対応表示を表示する。また、表示する以外に、マイコン３１２が放電灯１１を明滅させても構わない。即ち、マイコン３１２は、電力供給一時停止期間検出部４００によるオフ第１操作（第１の設定回数）の検出を契機として所定の時間間隔で順次異なる調光指令値を暫定的に設定する場合に、調光指令値を設定するごとに、インバータ回路３００の発振周波数を制御することにより放電灯１１の明るさを増減して、新たな調光率に暫定的に切り替わったことを通知するようにしてもよい。以上の暫定調光率の切り替え時において表示部４１０に暫定調光率を表示し、あるいは、放電灯１１を明滅させることで、操作者は、調光率が暫定的に設定されたことを知ることができ、調光率を確定する上で便利である。
（４）さらに、調光率を確定した旨の表示と、暫定点灯期間中に予め定めた暫定調光率であることの表示とを同一の表示部でおこなえば、表示部を小型化できる効果がある。
【００５８】
（照明器具）
また、上記で説明した放電灯点灯装置１００を、放電灯１１が装着された照明器具本体に搭載し、例えば、壁スイッチを電源スイッチ２０として利用すれば、簡単な構成で多段階ステップの調光が可能な照明装置を提供できる効果がある。
【００５９】
（電源スイッチの形態）
また、電源スイッチ２０として壁スイッチなどを利用する場合に、電源スイッチ２０を交流電源１の投入または遮断状態を保持する第１のスイッチと、操作時のみオフする常閉スイッチである第２のスイッチの直列に接続した構成とし、放電灯１１の調光率の変化・確定をする操作の場合は、操作時のみオフする第２のスイッチを使用するようにすれば、所定の短時間内の電源スイッチ２０のオフ操作が簡単にできる効果がある。
【００６０】
（第２のスイッチのカバー）
また、上記第１のスイッチと第２のスイッチは互いにその近傍に設置すれば、電源スイッチ２０を小型化でき、操作が便利になる効果がある。なお、上記第１のスイッチと第２のスイッチを近接して配置した場合には、第１のスイッチと第２のスイッチを取り違えて操作する誤操作の確率が大きくなるが、この場合、使用頻度の少ない方のスイッチに操作を不能にするカバーを備えれば、誤操作を防止できる効果がある。
【００６１】
実施の形態２．
図１０を用いて実施の形態２を説明する。実施の形態２は、電源オフ期間検出回路３６０をインバータ回路３００の出力回路に接続した実施形態である。この構成により、電源オフ期間検出回路３６０については、交流電源１の電圧が異なる場合でも同一の回路定数で対応できる。
【００６２】
図１０は、この発明の実施の形態２の放電灯点灯装置の構成を示す回路図である。図１０において、図２と同等または相当する構成要素には同一符号を付してその説明を省略する。なお、実施の形態１の図２に対して図１０では、符号を放電灯点灯装置は放電灯点灯装置１０１、インバータ回路はインバータ回路３０１としている。
【００６３】
図２で電源オフ期間検出回路３６０は、電源スイッチ２０が所定の短期間オフした場合に、オフ期間後の「出力端子ｂ」の電圧が、交流電源１の入力電圧によって変動する。例えば、交流電源１が２００Ｖの場合は１００Ｖの場合に比べて、オフ期間後の電圧が大きくなる。従って、図２の構成では、交流電源１が１００Ｖの場合と２００Ｖの場合では、電源オフ期間検出回路３６０を構成する部品の回路定数を異なるものにする必要がある。
【００６４】
実施の形態２では、電源オフ期間検出回路３６０の回路部品の定数を、交流電源１の値に関わらず同一にできるものである。図１０において、インバータ回路３０１のダイオード３２のアノードはインバータ回路３０１の負極側出力に接続される。ダイオード３２のカソードからコンデンサ３１を介して、インバータ回路３０１の出力に接続される。ダイオード３２とコンデンサ３１の接続点を、電源オフ期間検出回路３６０の入力端子ａに、出力端子ｂをインバータ制御回路３１０のマイコンに接続する。電源オフ期間検出回路３６０の構成は図４に示したものと同一構成であるが、図４の場合は入力端子ａの入力電圧の周波数が商用周波数であるのに対し、図１０の場合はインバータ回路３０１の出力であるので、通常５０ｋＨｚ程度の高周波数である点が異なる。
【００６５】
昇圧チョッパ回路２００の出力電圧（コンデンサ６の電圧）を、交流電源１の入力電圧の変化に対して概略一定になるように制御する。即ち、交流電源１の通常の電圧変動のみならず、例えば、交流電源１が、ＡＣ１００ＶまたはＡＣ２００Ｖを供給された場合でも昇圧チョッパ回路２００の出力電圧が概略一定であるように制御する。また、インバータ制御回路３１０の制御電源は、電源スイッチ２０の操作者のオフ動作に連動して、例えば、０．２秒程度以下の短時間で必要な電圧の供給が遮断されるように構成する。そして図２の放電灯点灯装置１００に相当する構成部分を、放電灯点灯装置１０１とする。
【００６６】
図１０の回路で電源スイッチ２０がオンになると、インバータ回路３０１は、インバータ制御回路３１０によって制御され、放電灯１１は点灯する。そのとき、インバータ回路３０１の出力（スイッチング素子７とスイッチング素子８の接続点）からコンデンサ３１を介して電源オフ期間検出回路３６０の入力端子ａに高周波電圧が印加され、出力端子ｂに整流された直流電圧が出力される。
【００６７】
ここで、上述のように、昇圧チョッパ回路２００の出力電圧は、交流電源１の値に関わらず概略一定なるので、出力端子ｂの電圧も、交流電源１の値に関わらず一定になる。次に、電源スイッチ２０がオフになり、その時間が０．２秒程度以上継続すれば、インバータ制御回路３１０の電源が遮断されるのでインバータ回路３０１は発振停止する。このように、電源スイッチ２０がオフになると、インバータ回路３０１は、昇圧チョッパ回路２００のコンデンサ６に充電された電圧で短時間動作を継続した後、発振停止する。また、電源スイッチ２０がオンされれば、それに対応してインバータ回路３０１は発振を開始する。インバータ回路３０１が発振停止すれば、電源オフ期間検出回路３６０は、その入力電圧が無くなるので、出力端子ｂの電圧は所定の放電時定数で放電していく。電源オフ期間検出回路３６０の出力端子ｂの電圧は、交流電源１の値に関わらず一定の直流電圧から所定の時定数で放電していく。このため、電源スイッチ２０をＴｏｆｆの期間オフした場合の電源オフ期間検出回路３６０の出力端子ｂの電圧は、交流電源１の値に関わらず一定になる。
【００６８】
以上のように、本実施の形態２によれば、交流電源１の電圧が異なる場合でも同一の回路定数で対応できる効果がある。
【００６９】
（放電灯状態検出回路３２０と電源オフ期間検出回路３６０との関係）
また、放電灯状態検出回路３２０が、放電灯１１が未接続（抜去状態）、寿命末期などなどの不良状態（異常状態）を検出した場合に、マイコン３１２がインバータ回路３０１の動作を停止するようにしておく。これにより、放電灯がこのような状態の場合は、電源オフ期間検出回路３６０の出力端子ｂの電圧がＬレベルになる。従って、放電灯１１が未接続、不良状態の場合には、電源スイッチ２０を操作して放電灯１１の調光率を変更する機能を停止することができる。よって、放電灯１１の調光率を目視で確認できない状態で変更されてしまうことを防止できる効果がある。
【００７０】
なお、インバータ回路３０１が停止状態（放電灯状態検出回路３２０が、抜去、異常等を検出による）の場合に、電源スイッチ２０をオン・オフすると、この操作にともなって抵抗１３、コンデンサ３１、ダイオード３２を介して電源オフ期間検出回路３６０の入力端子ａに微分的な電圧が印加される。この電圧に対しては、図４及び図１０において、コンデンサ３６４の値をコンデンサ３１の値より充分大きく選定した上で、抵抗３６２と抵抗３６３の値を適当に選定すれば、電源オフ期間検出回路３６０の出力端子ｂの電圧を実用的に問題ない低電圧レベルにすることができる。
【００７１】
また、本実施の形態２の放電灯点灯装置１０１を複数台同一の交流電源１に接続する場合は、電源スイッチ２０を共通にして１個でも良いことは明らかである。以降の説明では、放電灯点灯装置１０１として電源スイッチ２０を含めないで説明する場合がある。
【００７２】
実施の形態３．
図１１を用いて実施の形態３を説明する。実施の形態３は、実施の形態１または実施の形態２の放電灯点灯装置を備えた照明器具を共通の電源スイッチに少なくても２台以上接続した照明システム１００１に関する。この照明システムにより、複数台の照明器具について同時に調光率を設定することができる。また、放電灯状態検出回路３２０が放電灯１１の抜去を検出した場合には、マイコン３１２が調光率を変更する機能を停止する。従って、調光率を設定するオフ第１操作時及びオフ第２操作時に、調光率を変更したくない放電灯点灯装置では放電灯１１を抜去しておき、オフ第２操作の終了後に放電灯を装着することで、放電灯を装着してオフ第１操作及びオフ第２操作を行った放電灯のみの調光率を変更できる。
【００７３】
図１１に示す実施の形態３は、実施の形態１の放電灯点灯装置１００、あるいは、実施の形態２の放電灯点灯装置１０１を複数台使用した場合の照明システム１００１の構成図である。照明システム１００１は、電源スイッチボックス２０Ｂの中に直列に接続された第１の電源スイッチ２０ａ１と、常閉機能を有する第２の電源スイッチ２０ａ２と有する。これは、実施の形態１の最後の部分でのべた「電源スイッチの形態」、及び、「第２の常閉スイッチのカバー」の記載に対応する。即ち、図１１のように、電源スイッチ２０として壁スイッチなどを利用する場合に、電源スイッチ２０を交流電源１の投入または遮断状態を保持する「第１の電源スイッチ２０ａ１」と、操作時のみオフする「第２の電源スイッチ２０ａ２」（常閉スイッチ）との直列接続の構成とする。そして、放電灯１１の調光率の変化・確定の操作の場合は、操作時のみオフする「第２の電源スイッチ２０ａ２」を使用する。また、第１の電源スイッチ２０ａ１と第２の電源スイッチ２０ａ２は、互いに近傍に設置される。
【００７４】
図１２は、図１１の構成を具体的に示す図である。図１２は、特に、直列に接続された２つの電源スイッチの具体的なイメージを示すための図である。図１２において、壁には電源スイッチボックス２０Ｂが設置されている。電源スイッチボックス２０Ｂは直列に接続された第１の電源スイッチ２０ａ１と第２の電源スイッチ２０ａ２とを含む。天井には４台の照明器具が設置されている。４台の照明器具には、敷設された電源線により交流電源１の電力が供給される。前述のように、第１の電源スイッチ２０ａ１は、主に交流電源１の投入または遮断状態を保持するために使用する。第２の電源スイッチ２０ａ２は、放電灯１１の調光率の変化・確定（オフ第１操作及びオフ第２操作）にのみ使用する。換言すれば、第１の電源スイッチ２０ａ１は放電灯１１のオン、オフ用スイッチ（点灯、消灯用スイッチ）であり、第２の電源スイッチ２０ａ２は、放電灯１１の調光率の変化・確定の専用スイッチである。第２の電源スイッチ２０ａ２は、第１の電源スイッチ２０ａ１と間違えて操作されないように、カバーで覆われる。これにより、操作者の誤使用を防止できる効果がある。
【００７５】
実施の形態１あるいは実施の形態２で述べたように、これらの放電灯点灯装置は、放電灯状態検出回路３２０が放電灯１１の抜去を検出した場合には、マイコン３１２が調光率を変更する機能を停止する。照明器具８０１ａ〜８０１ｎは、それぞれ放電灯点灯装置１０１ａ〜１０１ｎを備える。図１１において、放電灯点灯装置１０１ａ〜１０１ｎは、図１０の放電灯点灯装置１０１に対して電源スイッチ２０を含まない以外は、放電灯点灯装置１０１と同一の構成である。照明システム１００１は、放電灯点灯装置１０１ａ〜１０１ｎに対して、共通の電源スイッチボックス２０Ｂの第１の電源スイッチ２０ａ１と第２の電源スイッチ２０ａの直列接続したものを備える。図１１において、操作者は実施の形態１及び２で説明した操作により電源スイッチボックス２０Ｂ内のスイッチを操作し、放電灯１１の調光率を変化・確定させることができることは明らかである。
【００７６】
以上のように、本実施の形態３によれば、実施の形態１または実施の形態２の放電灯点灯装置を備えた照明器具を共通の電源スイッチに少なくても２台以上接続した照明システム１００１は、放電灯を調光するための特別な調光コントローラや調光インターフェースのための特別な配線が無くても、複数の放電灯を同時に調光率の制御できる効果がある。
【００７７】
（リセットカウンタ）
なお、上記で説明したように、放電灯１１の未装着や不良の場合は、調光率の変更を不能にしている。従って、放電灯１１が不良の場合に調光率を変更すると、不良の放電灯を正常品の放電灯と交換した場合に、照明器具間で調光率が使用者の意図に反して異なってしまう場合がある。このような、場合には、オフ第１操作の所定値（Ｎ１）及びオフ第２操作の所定値（Ｎ２）のいずれも上回る所定の回数（調光率リセットＮ３＝例えば４回）の短期間の電源オフが行われた場合に、正常品が装着された全ての照明器具の調光率を、例えば、定格出力の１００％調光率（Ｓｄ０）に戻すようにすれば良い。図３で、調光率リセット回数Ｎ３は不揮発性メモリの調光率リセットカウンタＮ３（３１４５）に記録される。
【００７８】
実施の形態４．
図１３に示す本実施の形態４は、実施の形態１あるいは実施の形態２の放電灯点灯装置１００あるいは放電灯点灯装置１０１を複数台使用した場合の照明システム２０００を示す構成図である。実施の形態４の照明システム２０００は、実施の形態３に対して、交流電源１のもとに、実施の形態３の照明システムを複数接続した構成である。照明システム１００２は、照明システム１００１と同じ構成である。照明システム１００２は、放電灯点灯装置１０１Ａ〜１０１Ｎに対して、共通の電源スイッチ２０Ａを備える。照明器具９０１Ａ〜９０１Ｎは、それぞれ放電灯点灯装置１０１Ａ〜１０１Ｎを備える。放電灯点灯装置１０１Ａ〜１０１Ｎは、放電灯点灯装置１０１ａ〜１０１ｎと同様に、放電灯状態検出回路３２０が放電灯１１の抜去を検出した場合には、マイコン３１２が調光率を変更する機能を停止する。
【００７９】
図１３において、電源スイッチ２０ａ及び電源スイッチ２０Ａを実施の形態１及び実施の形態２で説明した操作を行って、放電灯の調光率を変化させることができることは明らかである。
【００８０】
図１３において、例えば、電源スイッチ２０ａに接続された放電灯点灯装置１０１ａ〜１０１ｎを太陽による外光の差し込む明るい窓側の照明器具８０１ａ〜８０１ｎに設置し、電源スイッチ２０Ａに接続される放電灯点灯装置１０１Ａ〜１０１Ｎを、外光の少ない壁側の照明器具９０１Ａ〜９０１Ｎに設置するように配置し、外光が明るい場合は窓側の放電灯の調光率が小さくなるようにし、外光が暗い場合には、窓側の放電灯も調光率が大きくなるように電源スイッチ２０ａを操作すれば、外光を利用した期間の消費電力を節約できる効果がある。
【００８１】
以上のように、本実施の形態によれば、放電灯１１を調光するための特別な調光コントローラや調光インターフェースのための特別な配線が無くても、複数の放電灯を異なる調光率で制御できる効果がある。
また、この点灯装置の調光率を可変にできる特性と太陽光による外光を活用すれば、部屋の照度を適切に維持しつつ、省エネができる効果がある。
【００８２】
以上実施の形態１〜実施の形態４で説明した放電灯点灯装置は、以上のように構成されているので、以下に示すような効果を奏する。
【００８３】
放電灯１１の調光をする場合に、電源スイッチ２０がオン状態において、電源スイッチをオフしてから所定の短時間内にオンするオフ第１操作をすることに応動して前記放電灯の調光率を所定の暫定点灯期間Ｔｔｐ（３１４２）の時間間隔で順次暫定的に変化させ、さらに、所定の有効変化回数内（順次変化回数Ｎｓ（３１４３））に、電源スイッチ２０をオフしてから所定の短時間内にオフするオフ第２操作をすることで、オフ第２操作時の最新の暫定調光率に変化させ、以降、その調光率を継続維持して点灯できるようにしている。即ち、電源スイッチ２０の所定の短時間内（Ｔｏｆｆ以内）の人為的なオフ操作を、所定の手順で少なくても２回実行した後にのみ、放電灯１１の調光率の変化を確定できるようにしている。
このため、落雷などの原因で交流電源１が瞬時停電する場合があったとしても、瞬時停電による交流電源１の断続状態が本実施の形態が示す調光率を変化・確定するために必要な交流電源１の断続状態と一致する確率は、実用的には無視できるほど小さくできるので、放電灯を調光するための特別な調光コントローラや調光インターフェースのための特別な配線が無くても多段階の調光率が可能な放電灯点灯装置を提供できる効果がある。
【００８４】
また、放電灯の調光率を多段階で切り換えるためには、電源スイッチ２０のオフ第１操作を実行した後、暫定点灯期間Ｔｔｐ（３１４２）の時間間隔で順次変化する暫定調光率の中から操作者が希望する調光率になった時点でその調光率を確定できる。これによって、電源スイッチ２０の一時的なオフ回数を調光率を切り替え段数に対応して多数回行う必要が無く多段階の調光率の中から簡単な操作で希望の調光率で放電灯を点灯させることができる効果がある。
【００８５】
また、放電灯１１が放電灯点灯装置に未装着の場合、または、不良状態の場合は、電源スイッチ２０がオン状態において、オフ第１操作及びオフ第２操作を行っても調光率を変化させないようにしている。これによって、放電灯１１の調光率を目視で確認できない状態で変更されてしまうことを防止できる効果がある。
【００８６】
放電灯１１の調光率の変化は、電源スイッチ２０のオフ第１操作に引き続きオフ第２操作を行わない場合は、調光率をオフ第１操作開始時の調光率か予め指定した調光率に戻すようにしている。これによって、仮に、落雷などの原因で交流電源１が瞬時停電する場合があったとしても、変化前の調光率か、予め指定した調光率になるので、瞬時停電の影響で予期せぬ調光率に誤動作することを防止できる効果がある。
【００８７】
また、調光率の変化を確定した表示を行うようにしているので、電源スイッチ２０の操作結果を確実に確認できる効果がある。
また、調光率の変化の表示は、上記のように調光率の確定操作をした場合以外に、オフ第１操作で調光率の暫定点灯期間Ｔｔｐ（３１４２）中に、例えば、暫定調光率が９０％、８０％、７０％、・・・・などのように十位（調光率を％表示の場合）の調光率が切り替わる（変化する）ごとに、放電灯１１を明滅させる等をすると、操作者が調光率を確定する場合の情報提供の便宜を供する効果がある。
さらに、放電灯１１の明滅または明暗で表示を行うことで、表示のための特別な構成部品が不要になる効果がある。
【００８８】
調光率の確定結果を放電灯１１の調光率を制御するインバータ制御回路３１０の不揮発性メモリ３１３に記録するようにしているので、電源スイッチ２０をオフ後、再度、電源スイッチ２０をオンしても電源スイッチ２０のオフ前の調光率で継続点灯できる効果がある。
さらに、多段の調光率の実行順序の変更や、調光率の追加や変更なども不揮発性メモリ３１３のデータ変更で容易に対応できる効果がある。
【００８９】
電源オフ期間検出回路３６０を、インバータ回路３００（または３０１）の出力から得るようにしているので、放電灯１１が未接続、または、不良状態の場合に電源スイッチ２０を操作して放電灯１１の調光率を変更する機能を停止することができ、放電灯１１の調光率を目視で確認できない状態で変更されてしまうことを防止できる効果がある。
【００９０】
上記で説明した放電灯点灯装置を照明装置（照明器具）に搭載し、前記照明装置を複数台設置して照明システムを構成しているので放電灯１１を調光するための特別な調光コントローラや調光インターフェースのための特別な配線が無くても、複数の放電灯を異なる調光率で制御できる効果がある。
また、この放電灯点灯装置の調光率を可変にできる特性と太陽光による外光を活用すれば、部屋の照度を適切に維持しつつ、省エネができる効果がある。
【図面の簡単な説明】
【００９１】
【図１】実施の形態１における電源スイッチ２０の操作を説明する図。
【図２】実施の形態１における放電灯点灯装置１００の回路図。
【図３】実施の形態１における不揮発性メモリ３１３を説明する図。
【図４】実施の形態１における電源オフ期間検出回路３６０の回路図。
【図５】実施の形態１における電源オフ期間検出回路３６０の保持電圧を説明する図。
【図６】実施の形態１における調光率の確定操作を説明する図。
【図７】実施の形態１における調光率の確定操作を説明する別の図。
【図８】実施の形態１における電源スイッチ２０の操作を説明する図。
【図９】実施の形態１における電源スイッチ２０の操作過程を説明するフローチャート。
【図１０】実施の形態２における放電灯点灯装置１０１の回路図。
【図１１】実施の形態３における照明システム１００１の構成図。
【図１２】図１１を具体的に示す図。
【図１３】実施の形態４における照明システム２０００の構成図。
【符号の説明】
【００９２】
１  交流電源、２  ダイオードブリッジ、３  チョークコイル、４  ダイオード、５  スイッチング素子、６  コンデンサ、７，８  スイッチング素子、９  カップリングコンデンサ、１０  チョークコイル、１１  放電灯、１２，１５  コンデンサ、１３，１４  抵抗、２０，２０ａ，２０Ａ  電源スイッチ、２０ａ１  第１の電源スイッチ、２０ａ２  第２の電源スイッチ、２０Ｂ  電源スイッチボックス、１０１ａ〜１０１ｎ，１０１Ａ〜１０１Ｎ  放電灯点灯装置、２００  昇圧チョッパ回路、２１０  昇圧チョッパ制御回路、３００，３０１  インバータ回路、３１０  インバータ制御回路、３１１  制御出力回路、３１２  マイクロコンピュータ、３１３  不揮発性メモリ、３２０  放電灯状態検出回路、３３０  放電灯負荷回路、３４０  電源オン・オフ状態検出回路、３６０  電源オフ期間検出回路、４００  電力供給一時停止期間検出部、４１０  表示部、８０１ａ〜８０１ｎ  照明器具、９０１ａ〜９０１ｎ  照明器具、１００１，１００２，２０００  照明システム。
【図１】
2008103199.tif 000003
【図２】
2008103199.tif 000004
【図３】
2008103199.tif 000005
【図４】
2008103199.tif 000006
【図５】
2008103199.tif 000007
【図６】
2008103199.tif 000008
【図７】
2008103199.tif 000009
【図８】
2008103199.tif 000010
【図９】
2008103199.tif 000011
【図１０】
2008103199.tif 000012
【図１１】
2008103199.tif 000013
【図１２】
2008103199.tif 000014
【図１３】
2008103199.tif 000015